(57)【特許請求の範囲】
【請求項１】
前面が開口したキャビネット本体と、
前記キャビネット本体の前後方向に出し入れ可能に構成され、上面が開口した箱状の引
出しと、を備え、
前記引出し内の少なくとも右側および左側のいずれか一方の端部には、鍋蓋の上面もし
くは下面が前記引出しの側板に沿うように立った状態を維持させることができ、かつ、鍋
蓋を前記側板に沿う方向に並べて支持することが可能な支持手段を設け、
前記側板の上方に、鍋蓋の摘み部を収容可能な摘み部収容部を備えたことを特徴とするキッチン用フロアキャビネット。
【請求項２】
前記支持手段は、前記側板の上方に収容された鍋蓋の摘み部が前記側板よりも外方に突
出しないよう、鍋蓋の前記側板側への傾斜を抑制する傾斜抑制部を有することを特徴とす
る請求項１に記載のキッチン用フロアキャビネット。
【請求項３】
前記支持手段は、下方から鍋蓋を支持する支持具を複数有しており、鍋蓋の上面側もし
くは下面側から鍋蓋を見た場合の鍋蓋の左下部および右下部をそれぞれ前記支持具で支持
するように構成されていることを特徴とする請求項１又は２に記載のキッチン用フロアキャビネット。
【請求項４】
前記支持具は、前記側板に沿う方向に移動可能に構成されていることを特徴とする請求
項３に記載のキッチン用フロアキャビネット。
【請求項５】
前記支持具は、前記側板上部へ引っ掛けるための断面コの字状の引っ掛け部を有してお
り、この引っ掛け部を前記側板上部へ引っ掛けることで側板に取り付けられると共に前記
側板に沿う方向に移動可能に構成され、
前記支持具の前記側板側には側板側へ突出する凸部が設けられており、
さらに前記支持手段は、前記側板に固定され、前記側板に沿う方向に複数の凹部が設け
られた保持具を備え、
前記支持具は、前記凸部を前記凹部に係合させることを特徴とする請求項４に記載のキ
ッチン用フロアキャビネット。
【請求項６】
前記支持具は、鍋蓋が嵌め込まれる凹状の支持部を少なくとも２つ以上有しており、複
数の前記支持部は、前記側板に沿う方向と垂直な方向に並んで配置されていることを特徴
とする請求項３〜５のいずれか１つに記載のキッチン用フロアキャビネット。
【発明の詳細な説明】
【技術分野】
【０００１】
本発明は、キッチン用フロアキャビネットに関する。
に関する。
【背景技術】
【０００２】
従来、キッチン用フロアキャビネットの引出し内に鍋蓋を収納する際は、平置き状に鍋蓋を積み重ねて収納するという方法が採られていた。しかし、このように鍋蓋を積み重ねると、下方に積まれている鍋蓋を引出しから取り出すためには、一旦上方に積まれている鍋蓋を取り出さなければならず、鍋蓋を取り出す作業が煩わしい。
【０００３】
そこで、これを解決するために、複数の鍋蓋を立て並べて収納する方法が採られている。例えば、特許文献１に記載のキッチン用フロアキャビネットでは、引出しの底板に、鍋蓋の摘み部を掛けることができる鍋蓋支持具を複数備えた鍋蓋収納用のラックを載置し、このラックに複数の鍋蓋を平行に立て並べて収納している。
【先行技術文献】
【特許文献】
【０００４】
【特許文献１】特開２０１２−０８５８４５号公報
【発明の概要】
【発明が解決しようとする課題】
【０００５】
ところが、特許文献１に記載のラックは、複数の鍋蓋を、それぞれの上面もしくは下面が向かい合うようにして平行に並べて収納できるようにしているため、ラックの幅と奥行きを大きくせざるを得ない。したがって、このような大きいラックを引出しの底板に載せる場合、鍋や調理用のボウルなど、鍋蓋以外の調理器具を載せ置くことが可能な引出しの底板上のスペースを大きく占領してしまい、鍋蓋以外の調理器具を収納するスペースが減少してしまうという問題がある。
【０００６】
本発明は、上記問題に鑑みてなされたものであり、引出し内の鍋蓋以外の調理器具を収納するスペースを確保しつつ、複数の鍋蓋を引出し内に立てて収納することが可能なキッチン用フロアキャビネットを提供することを目的とする。
【課題を解決するための手段】
【０００７】
上記課題を解決するために、本発明に係るキッチン用フロアキャビネットは、前面が開
口したキャビネット本体と、前記キャビネット本体の前後方向に出し入れ可能に構成され
、上面が開口した箱状の引出しと、を備え、前記引出し内の少なくとも右側および左側の
いずれか一方の端部には、鍋蓋の上面もしくは下面が前記引出しの側板に沿うように立っ
た状態を維持させることができ、かつ、鍋蓋を前記側板に沿う方向に並べて支持すること
が可能な支持手段を設け、前記側板の上方に、鍋蓋の摘み部を収容可能な摘み部収容部を備えたことを特徴とする。
【０００８】
キッチンで用いられる調理器具には様々な大きさのものがあり、かつ、外形が円形状の
ものが多いため、通常、箱状の引出しにこれらの調理器具を複数収納したとしても、引出
し内の側板近傍には、大きくはないものの、何も収納されていないスペースが生じること
が多い。本発明に係るキッチン用フロアキャビネットは、この側板近傍に生じる何も収納
されていないスペースを利用して鍋蓋を立てて収納させるように工夫したものである。
具体的には、鍋蓋の上面もしくは下面が引出しの側板に沿うように立った状態を維持さ
せることができ、かつ、鍋蓋を側板に沿う方向に並べて支持することが可能な支持手段を
、引出し内の少なくとも右側および左側のいずれか一方の端部に設けた。したがって、こ
の支持手段によって、引き出しの側板近傍に、鍋蓋の上面もしくは下面が引出しの側板に
沿うように立った状態で、複数の鍋蓋を側板に沿う方向に並べて配置できる。これによっ
て、側板に沿う方向に縦長に生じる何も収納されていないスペースに、複数の鍋蓋を立て
て収納できるようになるため、引出し内の鍋蓋以外の調理器具を収納するスペースを確保
しつつ、複数の鍋蓋を引出し内に立てて収納することが可能となる。
さらに、この好ましい態様では、側板の上方に、鍋蓋の摘み部を収容可能な鍋蓋収容部を設けたため、側板の上方の幅の小さなスペースを、比較的サイズが小さい鍋蓋の摘み部を収容するスペースとして有効に利用することで、引出し内の収納スペースが摘み部によって使われることを抑制でき、引出し内の鍋蓋以外の調理器具を収納するスペースをより確実に確保することができる。
【００１１】
また、本発明に係るキッチン用フロアキャビネットでは、前記支持手段は、前記側板の上方に収容された鍋蓋の摘み部が前記側板よりも外方に突出しないよう、鍋蓋の前記側板側への傾斜を抑制する傾斜抑制部を有することも好ましい。
【００１２】
この好ましい態様では、傾斜抑制部により、鍋蓋の摘み部が側板よりも外方に突出することを防止できるため、側板の上方に鍋蓋の摘み部を収容したとしても、引出しをキャビネット本体に対して前後方向に出し入れする際に、この鍋蓋の摘み部がキャビネット本体の側板に衝突することがなく、鍋蓋を安定的に支持できるようになる。
【００１３】
また、本発明に係るキッチン用フロアキャビネットでは、前記支持手段は、下方から鍋蓋を支持する支持具を複数有しており、鍋蓋の上面側もしくは下面側から鍋蓋を見た場合の鍋蓋の左下部および右下部をそれぞれ前記支持具で支持するように構成されていることも好ましい。
【００１４】
この好ましい態様では、鍋蓋の左下部および右下部をそれぞれ支持具で支持するため、鍋蓋が側板に沿う方向に転がらないようにできる。これにより、引出しをキャビネット本体に対して前後方向に出し入れする場合にも、鍋蓋が転がることを防止できる。
【００１５】
また、本発明に係るキッチン用フロアキャビネットでは、前記支持具は、前記側板に沿う方向に移動可能に構成されていることも好ましい。
【００１６】
この好ましい態様では、支持具は、側板に沿う方向に移動可能に構成されているため、鍋蓋の右下部を支持する支持具と鍋蓋の左下部を支える支持具の間の距離を変えることができるため、様々な大きさの鍋蓋を支持させることが可能となる。
【００１７】
また、本発明に係るキッチン用フロアキャビネットでは、前記支持具は、前記側板上部へ引っ掛けるための断面コの字状の引っ掛け部を有しており、この引っ掛け部を前記側板上部へ引っ掛けることで側板に取り付けられると共に前記側板に沿う方向に移動可能に構成され、前記支持具の前記側板側には側板側へ突出する凸部が設けられており、さらに前記支持手段は、前記側板に固定され、前記側板に沿う方向に複数の凹部が設けられた保持具を備え、前記支持具は、前記凸部を前記凹部に係合させることも好ましい。
【００１８】
この好ましい態様では、断面コの字状の引っ掛け部を側板に引っ掛けるという簡単な構成で支持具を側板に沿う方向に移動可能にできる。また、このように支持具を引っ掛けて側板に取り付ける場合、引出しをキャビネット本体に対して前後方向に出し入れする際に、側板に沿う方向に支持具の位置がズレてしまう恐れがあるが、支持具の凸部と保持具の凹部を係合させることで、このような位置ズレを防止することができる。
【００１９】
また、本発明に係るキッチン用フロアキャビネットでは、前記支持具は、鍋蓋が嵌め込まれる凹状の支持部を少なくとも２つ以上有しており、複数の前記支持部は、前記側板に沿う方向と垂直な方向に並んで配置されていることも好ましい。
【００２０】
この好ましい態様では、１つの支持具に鍋蓋が嵌め込まれる凹状の支持部を少なくとも２つ以上有しているため、隣接し合う鍋蓋の内、一方の鍋蓋の右下部の支持と、他方の鍋蓋の左下部の支持とを１つの支持具で行うことができる。また、これらの支持部は引出しの側板に対して垂直な方向に並んで配置されているため、上述のように１つの支持具で隣接し合う鍋蓋の両者の一部を支持させた場合に、側板に沿う方向と垂直な方向において、これらの鍋蓋の一部が重なるようにして収納できるため、側板に沿う方向により多くの鍋蓋を立てて収納することが可能となる。
【発明の効果】
【００２１】
本発明のキッチン用フロアキャビネットによれば、引出し内の鍋蓋以外の調理器具を収納するスペースを確保しつつ、複数の鍋蓋を引出し内に立てて収納することができる。
【図面の簡単な説明】
【００２２】
【図１】本発明の実施形態に係るキッチン用フロアキャビネットＦＣの斜視図。
【図２】本発明の実施形態に係る支持具の斜視図。
【図３】支持具を用いて左側板に沿って複数の鍋蓋を収納した状態を示す上面図。
【図４】図３の最も前方側の鍋蓋が収納されている状態を前方側から見た断面図。
【図５】図３の最も前方側の鍋蓋が収納されている状態を側方側から見た断面図
【発明を実施するための形態】
【００２３】
以下、添付図面を参照しながら本発明の実施の形態について説明する。説明の理解を容易にするため、各図面において同一の構成要素に対しては可能な限り同一の符号を付して、重複する説明は省略する。
【００２４】
本発明の実施形態であるキッチン用フロアキャビネットについて図を参照しながら説明する。図１は、本発明の実施形態に係るキッチン用フロアキャビネットＦＣの斜視図である。
【００２５】
図１に示すように、キッチン用フロアキャビネットＦＣは、キャビネット本体３と引出し５を有する。キャビネット本体３は、右側板３１、左側板３２、底板３３、背板３４、仕切板３５を有しており、これらの板をネジ等で連結することによって、キャビネット本体３は、前面が開口した箱型に形成されている。なお、右側板３１、左側板３２、および仕切板３５によって囲まれる仕切板３５上方の空間には、図示しない引出し、コンロ、またはシンク等が設けられる。
【００２６】
一方、引出し５は、右側板５１、左側板５２、底板５３、背板５４、前板５５を有しており、これらの板をネジ等で連結することによって、引出し５は、上面が開口した箱型に形成される。さらに、引出し５は、ギャラリーバー５６を有している。前板５５は、右側板５１、左側板５２、および背板５４よりも高さが高く設けられており、前板５５および背板５４は、底板５３のみで連結されるのではなく、ギャラリーバー５６によっても連結されている。これにより、前板５５が前方側に傾斜してしまうことを抑制している。なお、便宜上、引出し５内を見えやすくするため、図１では前板５５を取り外した状態の引出し５を示しているが、実際には、破線で示すように前板５５が組付けられている。
【００２７】
右側板５１および左側板５２はそれぞれ金属材料から形成されており、斜め上方に延びる内板５２ａ、内板５２ａから略水平に延びる接続板５２ｂ、および、接続板５２ｂの先端から下方に延びる外板５２ｃからなるものであり、内板５２ａの下方がネジ等で底板５３に固定されている。
【００２８】
また、引出し５は、キャビネット本体３に対して、前後方向に出し入れ可能に構成されている。より具体的には、内板５２ａ、接続板５２ｂ、および外板５２ｃによって囲まれる空間には、図示しない奥行き方向に延びるインナーレールが設置されており、キャビネット本体３に設置された図示しない奥行き方向に延びるアウターレールと係合させることにより、前後方向に出し入れ可能に構成されている。右側板５１および左側板５２は、このインナーレールを右側板５１および左側板５２の下部に設置できるようにしつつ、引出し５内の収納空間を極力減少させないようにするために、内板５２ａを引出し５の外方へと傾斜させている。
【００２９】
引出し５の中には、図示しない鍋蓋を支持する支持手段７が設けられている。支持手段７は、複数の支持具７１と保持具７２を有する。
【００３０】
図２は、支持具７１の斜視図である。図２（Ａ）は、支持具７１を前方側から見た斜視図であり、図２（Ｂ）は支持具７１を後方側から見た斜視図である。
【００３１】
図２（Ａ）に示すように、支持具７１は、引っ掛け部７１１および支持端部７１０を有しており、全て樹脂材料により一体に形成されている。引っ掛け部７１１は、コの字状に屈曲しており、この屈曲により形成される窪みを引出し５の側板（右側板５１、左側板５２）の上部に嵌め込んで引っ掛けることにより、支持具７１は側板（右側板５１、左側板５２）に配置される。
【００３２】
また、引っ掛け部７１１の前面には、前方に突出する２つの突起７１８が設けられている。さらに、図２（Ｂ）に示すように、引っ掛け部７１１の後面には、２つの凸部７１５が上下方向に並んで設けられている。
【００３３】
一方、支持端部７１０は、引っ掛け部７１１の先端から前方側に傾斜して（内板５２ａに沿って）延びる傾斜状板７１４、傾斜状板７１４から水平に延びる水平状板７１３、および、この水平状板７１３から上方に突出する２つの平板状突起７１２（７１２ａ、７１２ｂ）を有しており、さらに、傾斜状板７１４と平板状突起７１２ｂとの間、および、２つの平板状突起７１２（７１２ａ、７１２ｂ）の間のそれぞれには、上方に延びるリブ７１６（７１６ａ、７１６ｂ）が形成されている。平板状突起７１２ａ、平板状突起７１２ｂ、およびリブ７１６ｂによって形成される凹状の窪みによって支持部７１７ａが形成され、同様に、平板状突起７１２ｂ、傾斜状板７１４、およびリブ７１６ａにより形成される凹状の窪みによって、支持部７１７ｂが形成される。なお、鍋蓋を収納する際は、この支持部７１７ａ、７１７ｂに鍋蓋を嵌め込むことで鍋蓋の収納を行う。
【００３４】
保持具７２は、横長状に形成された板であり、保持具７２は、右側板５１の収納空間側の表面に接着剤等で貼り付けられている。なお、保持具７２は、右側板５１にネジ等で固定させても構わない。この保持具７２には、上下のそれぞれに凹状に窪んだ凹部７２１が、右側板５１に沿う方向に複数横並びに設けられている（図５参照）。これらの凹部７２１には、支持部７１の凸部７１５と係合可能な径に設けられている。
【００３５】
続いて、複数の支持具７１を用いて鍋蓋９を収納する方法について説明する。図３は、支持具７１を用いて左側板５２に沿って左側板５２近傍に鍋蓋９を収納した状態を示す上面図である。図４は、図３の最も前方側の鍋蓋が収納されている状態を前方側（前板５５側）から見た図である。図５は、図３の最も前方側の鍋蓋が収納されている状態を側方側（右側板５１側）から見た断面図である。
【００３６】
図３および図５に示すように、１つの鍋蓋９は、２つの支持具７１によって、鍋蓋の上面もしくは下面が左側板５２に沿うように収納される。すなわち、鍋蓋９の上面および下面のいずれか一方が左側板５２に向かい合うようにして収納される。より具体的には、２つの支持具７１のリブ７１６ａもしくリブ７１６ｂにより、鍋蓋９の右下部９３および左下部９２のそれぞれを支持することにより、鍋蓋９は、上面視で左側板５２に沿う方向に縦長となるよう収納される。このように鍋蓋９の右下部９３および左下部９２をそれぞれ支持することにより、引出し５を前後方向に出し入れする際に、鍋蓋９が前後方向に転がってしまうことを抑制できる。
【００３７】
鍋蓋９を支持させるリブをリブ７１６ａにするかリブ７１６ｂにするかは、鍋蓋９の厚み等によって、適宜選択できるものである。また、右下部９３および左下部９２の一方をリブ７１６ａによって支持し、他方をリブ７１６ｂによって支持しても構わない。このように、一方の支持具７１はリブ７１６ａによって、他方の支持具７１はリブ７１６ｂによって鍋蓋９を支持することにより、例えば、図３の後方側の２つの鍋蓋９のように、２つの間に位置する一つの支持具９のリブ７１６ａおよびリブ７１６ｂを使い、両者の鍋蓋９の一部を支持するようにすることで、左側板５２に沿う方向と垂直な方向において、これらの鍋蓋９の一部が重なるようにして収納できるため、左側板５２近傍の左側板５２に沿う方向において、より多くの鍋蓋９を引出し５内の左側端部に収納することが可能となる。
【００３８】
また、左側板５２の上方には、左側板５２の高さを低く設けることで、鍋蓋９の摘み部９ａを収容する摘み部収容部５９を設けているため、図４に示すように、摘み部９ａが外方を向くようにして鍋蓋９を収納すれば、この摘み部収容部５９に鍋蓋の摘み部９ａが収容され、鍋蓋９によって使用される引出し５内の収納スペースをより小さく抑えることができる。
【００３９】
また、図４に示すように、摘み部９ａが引出し５の外方を向くようにして鍋蓋９を支持具７１に支持させることにより、鍋蓋が引出し５の外方に向かって膨出するようにして鍋蓋を引出し５の左側板５２近傍に収納できる。したがって、通常はデッドスペースとなってしまう傾斜状の内板５２ａ上方のスペースに、鍋蓋９を収めることができるため、鍋蓋９以外の調理器具を収納するスペースをより多く確保することができる。
【００４０】
また、支持部７１は、引っ掛け部７１を左側板３２の上部に引っ掛けた状態で左側板５２に沿う方向に移動させることが可能であるため、左側板５２に沿う方向における、２つの支持具７１の間隔を調整することで、様々な大きさの鍋蓋９を支持することが可能となる。
【００４１】
また、引っ掛け部７１１を引っ掛けただけの状態の場合、引っ掛け部７１１と左側板５２の上部との間には隙間が存在するため、引出し５を前後方向に出し入れする際に、引っ掛け部７１１が左側板３２に沿う方向に位置ズレを生じる恐れがある。そこで、支持具７１の２つの凸部７１５を、左側板３２に貼り付け固定した保持具７２の上下に並ぶ２つの凹部７２１に嵌め込むことで、そのような位置ズレを防止することができる。
【００４２】
以上の説明では、支持具７１を引出し５の左側板５２に取り付ける例を説明したが、当然、右側板５１にも同様に支持具７１を取り付け、鍋蓋９を収納することができる。
【００４３】
以上のように、支持手段７によって、引出し５の側板（右側板５１、左側板５２）の近傍に、鍋蓋の上面もしくは下面が側板（右側板５１、左側板５２）に沿うように立てて収納でき、かつ、複数の鍋蓋９を側板（右側板５１、左側板５２）に沿う方向に並べて収納できるため、例えば図３に示すように、複数の鍋Ｎ１、Ｎ２、Ｎ３、Ｎ４を引出し５に収納したときに生じる側板（右側板５１、左側板５２）近傍の何も収納されていないスペースを複数の鍋蓋９を収納するスペースとして有効活用できる。したがって、引出し５内の鍋蓋９以外の調理器具を収納するスペースを確保しつつ、複数の鍋蓋９を引出し５内に立てて収納することが可能となる。
【符号の説明】
【００４４】
３：キャビネット本体
３１：右側板
３２：左側板
３３：底板
３４：背板
３５：仕切板
５：引出し
５１：右側板
５２：左側板
５２ａ：内板
５２ｂ：接続板
５２ｃ：外板
５３：底板
５４：背板
５５：前板
５６：ギャラリーバー
５９：摘み部収容部
７：支持手段
７１：支持具
７１０：支持端部
７１１：引っ掛け部
７１２ａ：平板状突起部
７１２ｂ：平板状突起部
７１３：水平状板
７１４：傾斜状板
７１５：凸部
７１６ａ：リブ
７１６ｂ：リブ
７１７：支持部
７１８：突起（傾斜抑制部）
７１９：支持端部
７２：保持具
７２１：凹部
７２１ａ：上凹部
７２１ｂ：下凹部
９：鍋蓋
９１：摘み部
９２：左下部
９３：右下部
ＦＣ：キッチン用フロアキャビネット
Ｎ１、Ｎ２、Ｎ３、Ｎ４：鍋
【図１】
0006455049.tif 000002
【図２】
0006455049.tif 000003
【図３】
0006455049.tif 000004
【図４】
0006455049.tif 000005
【図５】
0006455049.tif 000006